(57)【要約】      （修正有）【課題】脱穀装置の扱胴を手動回転可能に構成して、扱室内での処理物の詰まりを容易に除去する。【解決手段】扱室内に扱胴軸を介して扱胴１３を軸架し、エンジン３０からの動力を扱胴軸の一端に固定した扱胴入力プーリに入力して扱胴１３を回転駆動するコンバインの脱穀装置において、扱胴１３を手動で回転させるための操作ハンドル４０を係脱自在な支持手段４１を、上記扱胴入力プーリの外側面に設けた。また、上記支持手段４１を上記扱胴入力プーリの外側面へ締着可能な取付ブラケット４２と、該取付ブラケット４２に一体的に設けられ、上記操作ハンドル４０を扱胴軸と直交する方向から抜き差しして係脱する筒体４３により構成した。【選択図】図３
2011250741.tif 000002
【特許請求の範囲】
【請求項１】
扱室（１１）内に扱胴軸（１２）を介して扱胴（１３）を軸架し、エンジン（３０）からの動力を扱胴軸（１２）の一端に固定した扱胴入力プーリ（３７）に入力して扱胴（１３）を回転駆動するコンバインの脱穀装置において、扱胴（１３）を手動で回転させるための操作ハンドル（４０）を係脱自在な支持手段（４１）を、上記扱胴入力プーリ（３７）の外側面（３７ａ）に設けたコンバインの脱穀装置。
【請求項２】
上記支持手段（４１）を、上記扱胴入力プーリ（３７）の外側面（３７ａ）へ締着可能な取付ブラケット（４２）と、該取付ブラケット（４２）に一体的に設けられ、上記操作ハンドル（４０）を扱胴軸（１２）と直交する方向から抜き差しして係脱する筒体（４３）により構成した請求項１記載のコンバインの脱穀装置。
【請求項３】
上記支持手段（４１）を上記扱胴（１３）の扱胴入力プーリ（３７）から取り外して、コンバインの他の回転駆動装置（３）の入力用回転体（４５）に締着可能に構成した請求項２記載のコンバインの脱穀装置。
【発明の詳細な説明】
【技術分野】
【０００１】
本発明は、コンバインの脱穀装置に関し、詳しくは扱室内での処理物の詰まりを除去する技術に関する。
【背景技術】
【０００２】
従来、コンバインの脱穀装置において、扱室内で処理物の詰まりが発生した場合、扱室内に軸架した扱胴を操作ハンドルで手動回転させ、詰まった処理物をほぐして除去し易くし、詰まりを解消する技術が知られている（例えば、特許文献１、２参照。）。
【先行技術文献】
【特許文献】
【０００３】
【特許文献１】特開２０００−９２９６９号公報
【特許文献２】特開平８−１８７０２９号公報
【発明の概要】
【発明が解決しようとする課題】
【０００４】
しかしながら、特許文献１に記載のものは、扱胴入力プーリの内側（扱胴側）で扱胴軸に爪車を固定し、操作レバーに備えたラチェット爪を爪車に係止させて、扱胴を手動回転させるものであるため、ラチェット機構等の構造及びその組み付けが複雑になる欠点がある。
また、特許文献２に記載のものは、扱胴に伝動するギア式減速機構の駆動軸の先端部に角軸加工を施し、Ｌ字状の手動用ハンドルの基端部を、上記駆動軸の先端部に嵌入して手動用ハンドルにより扱胴を手動回転するものであるため、強い力でハンドルを操作する時、ハンドルが駆動軸の先端から抜けたり、上記角軸加工部やハンドルの基端嵌入部が変形摩耗して、操作中にハンドルが駆動軸から外れる心配がある。
本発明の目的は上記従来の不具合を改善する点にある。
【課題を解決するための手段】
【０００５】
上記目的を達成するために、本発明は、扱室１１内に扱胴軸１２を介して扱胴１３を軸架し、エンジン３０からの動力を扱胴軸１２の一端に固定した扱胴入力プーリ３７に入力して扱胴１３を回転駆動するコンバインの脱穀装置において、扱胴１３を手動で回転させるための操作ハンドル４０を係脱自在な支持手段４１を、上記扱胴入力プーリ３７の外側面３７ａに設けたことを特徴とする。
【０００６】
また、上記支持手段４１を、上記扱胴入力プーリ３７の外側面３７ａへ締着可能な取付ブラケット４２と、該取付ブラケット４２に一体的に設けられ、上記操作ハンドル４０を扱胴軸１２と直交する方向から抜き差しして係脱する筒体４３により構成したことを特徴とする。
【０００７】
また、上記支持手段４１を上記扱胴１３の扱胴入力プーリ３７から取り外して、コンバインの他の回転駆動装置３の入力用回転体４５に締着可能に構成したことを特徴とする。
【発明の効果】
【０００８】
上記請求項１に記載した発明は、扱胴１３を手動で回転させるための操作ハンドル４０を、扱胴入力プーリ３７の外側面３７ａに設けた支持手段４１に係脱するようにしたことにより、簡単な構成で扱胴１３の手動回転装置を提供できると共に、操作ハンドル４０の支持手段４１への係脱操作を、扱胴入力プーリ３７の外側で容易に行うことができる。
【０００９】
また、請求項２に記載した発明では、操作ハンドル４０による扱胴１３の手動回転操作中に操作ハンドル４０が外れることを確実に防止できる。
【００１０】
また、請求項３に記載した発明では、支持手段４１を利用して、コンバインの他の回転駆動装置３を手動回転することができ、他の回転駆動装置３の穀稈詰まり等も解消できる。
【図面の簡単な説明】
【００１１】
【図１】コンバインの左側面図である。
【図２】コンバインに搭載した脱穀装置の左側断面図である。
【図３】同上後面図である。
【図４】支持手段の取り付け部分の分解斜視図である。
【図５】コンバインの伝動系統図である。
【図６】コンバインの前処理装置の入力伝動部分の左側拡大図である。
【図７】脱穀装置の右側斜視図である。
【発明を実施するための形態】
【００１２】
本発明の実施の形態の一つを図１〜７に基づいて説明する。
図１に基づいて本発明を採用したコンバインの基本構造を説明すると、本実施例のコンバインは刈取穀稈を全稈、脱穀装置の扱室内に供給して脱穀処理を行う普通型のコンバインであり、機体１の下部にクローラ式の走行装置２を備え、機体１の前方に前処理装置３を上下回動昇降自在に装着し、前処理装置３の後方に、前処理装置３で刈取り搬送された穀稈を脱穀選別処理する脱穀装置４を搭載している。
【００１３】
前処理装置３は、圃場の穀稈を掻き込む掻込リール５、刈刃６、刈取穀稈を横移送して集める横送りオーガ７、横送りオーガ７で集められた穀稈を脱穀装置４まで搬送するコンベア８ａを内装したフィーダハウス８等より構成し、フィーダハウス８終端から刈取穀稈を全稈、脱穀装置４の扱室１１（詳細は後述する）内に供給するように構成している。
【００１４】
一方、機体１の右側前方（コンバインの前進方向を基準にして右側前方）には運転操作部５を備え、その後方に脱穀装置４で選別された穀粒を貯留する穀粒タンク９を設けている。図中の符号１０は穀粒タンク９に貯留された穀粒を機外の運搬車等に排出する穀粒排出オーガであり、穀粒排出オーガ１０は、下端を穀粒タンク９に連通した縦排出オーガ１０ａと、該縦排出オーガ１０ａ上端に、水平回動自在でかつ上下方向起伏自在に接続した横排出オーガ１０ｂとで構成している。
【００１５】
次に、脱穀装置４の詳細構造を図２〜５に基づいて説明する。
脱穀装置４は上部に扱室１１を有し、該扱室１１内に扱胴軸１２を介して扱胴１３を前後方向に軸架している。即ち、扱室１１の前後側板１１ａ、１１ｂに扱胴軸１２の両端部を回動自在に支持し、この扱胴軸１２に扱胴１３を取り付けている。
上記扱胴１３の外周には移送螺旋体１４を固設し、該移送螺旋体１４の外周部に多数の扱歯１５を固定している。
また、扱室１１の上部には、左側を支点に上下回動開閉自在なシリンダカバー１６を設け、扱室１１の下側周囲には漏下体（受網）１７を張設している。
【００１６】
一方、扱室１１の下方から後方に亘って選別室１９を設け、選別室１９の前部に設けた圧風ファン２０等より形成する前後方向の選別風路内で、上記漏下体１７の下方に、揺動選別体２１を前後方向に揺動駆動するように支架している。
揺動選別体２１は、左右の揺動側板２１ａ、２１ｂ、該揺動側板２１ａ、２１ｂ間に設けた無孔のグレンパン２２、複数のフィンを漏下間隔を有して前後方向に連設して構成したチャフシーブ２３、ストローラック２４、及びチャフシーブ２３下方の漏下網２５等より構成している。
【００１７】
揺動選別体２１の下方には、選別された穀粒を回収して右側方に移送する一番ラセン２６と、穀粒と屑が混在した二番物を回収して右側方に移送する二番ラセン２７を設け、一番ラセン２６と二番ラセン２７との間には副圧風ファン２８を設けている。
【００１８】
上記構成により、前処理装置３のフィーダハウス８から扱室１１内に供給された刈取穀稈は、扱室１１内で扱胴１３と一体で回転する扱歯１５等により脱穀作用を受け、扱室１１内で発生した穀粒や比較的小さな屑等の処理物は、漏下体１７から揺動選別体２１上に漏下し、漏下体１７から漏下しなかった大きな屑は扱室１１終端の送塵口１８を通過して機外に排出される。
【００１９】
揺動選別体２１上に漏下した処理物は、グレンパン２２、チャフシーブ２３上を揺動運動により後方に移送され、風選及び漏下選別される。そして、比較的小さくて比重の大きい穀粒や若干の屑は、チャフシーブ２３から漏下して下方の漏下網２５上に落下し、更に漏下網２５を漏下した穀粒は下方の一番ラセン２６で回収され側方に移送された後、後述する揚穀装置５０に受け継がれて穀粒タンク９内に移送される。
チャフシーブ２３で漏下しなかった比較的大きな処理物は後方のストローラック２４に移送されて分離処理され、穀粒と屑が混在した処理物がストローラック２４から下方に落下し二番物となり、二番ラセン２７で回収されて側方に移送された後、二番還元装置５１により扱室１１内又は揺動選別体２１上に還元され再選別される。
ストローラック２４から落下しなかった屑は、ストローラック２４で後方に移送され機外に排出される。
【００２０】
次に、特に脱穀装置４の伝動構造について説明する。
エンジン３０からの動力を、走行トランスミッション３１に伝動する一方、エンジン出力プーリ３２から作業機クラッチ（ベルトテンションクラッチ）３２ａを介して、伝動ベルト３２ｂによりカウンター軸３３に固定した作業機プーリ３４に伝動し、カウンター軸３３から前処理装置３と脱穀装置４に分岐する。即ち、カウンター軸３３の左端に固定した選別伝動プーリ３５から、ベルト伝動機構を介して前述の揺動選別体２１、一番ラセン２６、二番ラセン２７、揚穀装置５０、二番還元装置５１に伝動する一方、カウンター軸３３の右側部に固定した脱穀伝動プーリ３６から、中間プーリ３９、扱胴ベルト３９ａ等を介して前記扱胴軸１２の後端部に固定した扱胴入力プーリ３７に伝動する。
また、カウンター軸３３の右端部に固定した前処理伝動プーリ３８から前処理伝動ベルト３８ｂ、前処理クラッチ（ベルトテンションクラッチ）３８ａ等を介して、前記フィーダハウス８の終端左側方に位置する前処理入力スプロケット４５に伝動する。
【００２１】
次に、図２〜４に基づき、扱胴１３を手動で回転させるための構造について説明する。
扱胴軸１２の後端部に固定された扱胴入力プーリ３７の外側面（後面）３７ａには、扱胴１３を手動で回転させるための操作ハンドル４０を係脱自在な支持手段４１を設けている。
【００２２】
上記支持手段４１は、扱胴入力プーリ３７とほぼ同径の円板状よりなる取付ブラケット４２と、該取付ブラケット４２に一体的に溶接固定して設けられ、上記操作ハンドル４０の先端部を扱胴軸１２と直交する方向から抜き差しして係脱する筒体４３により構成している。
詳しくは、上記取付ブラケット４２は中央部に孔４２ａを有してドーナッツ状に形成し、筒体４３は取付ブラケット４２の孔４２ａを挟んで左右に溶接固定し、左右の筒体４３は同心状に固定している。そして、操作ハンドル４０を左右両方の筒体４３、４３に一方から挿入、貫通して操作ハンドル４０を両筒体４３、４３で確実に係止できるように構成している。
【００２３】
上記操作ハンドル４０は、扱胴１３の直径の約２倍程度の長さの棒状に形成し、その先端側に筒体４３、４３に挿入した時のストッパー４０ａを設けている。尚、操作ハンドル４０は非使用時には支持手段４１から外して機体の適所（例えば、穀粒タンク９の下方空間）に格納されている。
また、扱胴入力プーリ３７の外側面にはネジ孔３７ｂを穿設しており、ボルト４４により、取付ブラケット４２を扱胴入力プーリ３７の外側面３７ａへ締着可能に構成している。
尚、取付ブラケット４２の中央部に孔４２ａを形成したことで、扱胴入力プーリ３７に支持手段４１を取り付けた状態のままで、孔４２ａから扱胴入力プーリ３７の締め付け用のナット４６等を取り外して、扱胴入力プーリ３７を扱胴軸１２に着脱できるように構成している。
【００２４】
また、図６に示すように、フィーダハウス８の終端側に設けた前処理入力スプロケット４５の外側面にも上記扱胴入力プーリ３７に穿設したネジ孔３７ｂと同様のネジ孔４５ａを穿設しており、扱胴入力プーリ３７から支持手段４１を取り外して前処理入力スプロケット４５の外側面に締着できるように構成している。
【００２５】
尚、図７に示すように、脱穀装置４の右側にはバッケット式搬送装置を内装した揚穀装置５０と、同じくバッケット式搬送装置を内装した二番還元装置５１が近接した状態で立設しており、揚穀装置５０と二番還元装置５１の外側面（高さ方向中間位置）を前後方向のフレーム５３で連結固定し、該フレーム５３の中間部を補助フレーム５４で脱穀機枠５６に連結固定し、フレーム５３を後方に延設して脱穀後部フレーム５５に連結固定することにより、揚穀装置５０と二番還元装置５１の取り付け強度のアップを図っている。
【００２６】
本発明の実施の形態は上述の通りであり、コンバインによる刈取作業中において、脱穀装置４の扱室１１内で処理物の詰まりが発生すると、作業者はエンジンを停止させると共に、作業機クラッチ３２ａと前処理クラッチ３８ａをクラッチ操作レバー（図示せず）により切り操作する。
【００２７】
次に、操作ハンドル４０を扱胴入力プーリ３７に設けた支持手段４１の両筒体４３、４３に一方から挿入して、操作ハンドル４０を支持手段４１に係止する。この時、操作ハンドル４０が横向き（左右方向）でないならば、扱胴１３を若干手動回動させての操作ハンドル４０を横向きにして、操作ハンドル４０が機体の左側に突出する状態になるようにし、機体の左側から操作ハンドル４０を操作して扱胴１３を手動で正転及び逆転方向に回転させる。
上記扱胴１３の回転操作により、扱室１１室内で詰まっていた処理物はほぐされ、分離されるから、処理物を除去し易くなるため、作業者は前記シリンダカバーを開放して扱室１１室内を露出させて処理物を取り除く。このようにして詰まりを容易に解消することができる。
尚、上記実施の形態においては、筒体４３を取付ブラケット４２の一方向にのみ取り付けているが、他方向（例えば直交する２方向）にも取り付けておけば、操作ハンドル４０を係止する筒体４３を選択して、操作ハンドル４０を容易に機体の左側に突出する状態にすることができる。
【００２８】
そして、本発明では、上記のように扱胴１３を手動で回転させるための操作ハンドル４０を係脱自在な支持手段４１を、扱胴入力プーリ３７の外側面３７ａに設けて、操作ハンドル４０の操作により扱胴１３を手動回転可能にしたことにより、構成簡単にして扱胴１１の手動回転装置を提供できる。また、操作ハンドル４０の支持手段４１への係脱操作を、扱胴入力プーリ３７の外側で容易に行うことができる。
【００２９】
また、支持手段４１を、扱胴入力プーリ３７の外側面３７ａへ締着可能な取付ブラケット４２と、該取付ブラケット４２に一体的に設けられ、操作ハンドル４０を扱胴軸１２と直交する方向から抜き差しして係脱する筒体４３により構成したことにより、操作ハンドル４０を支持手段４１に確実に係止できるから、操作ハンドル４０による扱胴１３の手動回転操作中に操作ハンドル４０が支持手段４１から外れることを防止して、効率よく詰まり解消作業ができる。
また、支持手段４１を扱胴入力プーリ３７の外側面３７ａに取り付けるようにしたことにより、支持手段４１を容易に取り付けることができる。
【００３０】
また、前処理装置３で穀稈等の詰まりが発生した場合は、作業者は前処理クラッチ３８ａを切り、支持手段４１を上記前処理入力スプロケット４５（入力用回転体）の外側面に締着して、操作ハンドル４０により、前処理装置３を手動で正転及び逆転方向に回転させる。そして、穀稈等の詰まりをほぐして除去し易くし、これを取り除いて前処理装置３での詰まりを容易に解消することができる。
即ち、支持手段４１を利用して、コンバインの扱胴１３以外の他の回転駆動装置（例えば前処理装置３）を手動回転させて詰まりを解消することができる。
【００３１】
尚、本発明の実施の形態においては、取付ブラケット４２に筒体４３を溶接固定して支持手段４１を構成し、該支持手段４１を扱胴入力プーリ３７の外側面３７ａへ着脱自在に構成したが、
本願の請求項１に係る発明においては、支持手段４１を、扱胴入力プーリ３７の外側面３７ａに直接溶接固定しても、扱胴入力プーリ３７と一体成形してもよい。また、操作ハンドル４０を係脱する部品は筒体に限られない。
また、本発明を普通型のコンバインに採用しているが、自脱型のコンバインに採用することもできる。
【符号の説明】
【００３２】
３  前処理装置（回転駆動装置）
４  脱穀装置
１１  扱室
１２  扱胴軸
１３  扱胴
３０  エンジン
３７  扱胴入力プーリ
３７ａ  外側面
４０  操作ハンドル
４１  支持手段
４２  取付ブラケット
４３  筒体  
４５  前処理入力スプロケット（入力用回転体）
【図１】
2011250741.tif 000003
【図２】
2011250741.tif 000004
【図３】
2011250741.tif 000005
【図６】
2011250741.tif 000006
【図７】
2011250741.tif 000007
【図４】
2011250741.tif 000008
【図５】
2011250741.tif 000009